(57)【特許請求の範囲】
【請求項１】
ケース内にロータを回動可能に収容し、前記ロータに複数の収容室を設けると共に、前記各収容室には、該収容室に対応するディスクタンブラを収容室１室につき１個ずつ回動可能に収容し、前記ケース内に挿入されたキーと前記ディスクタンブラとの係合によって前記ディスクタンブラの回動位置を規定し、前記ロータを回動可能な位置と、前記ロータを回動不能な位置とに前記ディスクタンブラを配置可能にしたシリンダ錠において、
前記ディスクタンブラの外周縁に被ガイド部を設け、前記被ガイド部を摺接させて前記ディスクタンブラの回動を案内するためのガイド部を前記収容室に設け、前記ディスクタンブラの回動中心を前記ディスクタンブラの外周縁の内側に設定し、
前記キーは、その板厚の方向に凹設された解錠孔を備えたディンプルキーであり、前記解錠孔を介した前記ディスクタンブラとディンプルキーとの係合は、前記ディスクタンブラの回動位置を規定するシリンダ錠。
【請求項２】
前記被ガイド部を円弧形状の円弧状部とし、前記ガイド部を円弧形状の円弧状ガイド部とし、前記円弧状ガイド部の円中心と前記円弧状部の円中心とを一致させた請求項１に記載のシリンダ錠。
【請求項３】
ケース内にロータを回動可能に収容し、前記ロータに複数の収容室を設けると共に、前記各収容室には、該収容室に対応するディスクタンブラを収容室１室につき１個ずつ回動可能に収容し、前記ケース内に挿入されたキーと前記ディスクタンブラとの係合によって前記ディスクタンブラの回動位置を規定し、前記ロータを回動可能な位置と、前記ロータを回動不能な位置とに前記ディスクタンブラを配置可能にし、前記ディスクタンブラを回動する方向に付勢するばねを備えたシリンダ錠において、
前記ケース内に挿入された状態にある前記キーの板厚の範囲を前記キーの幅方向に延長した領域から外れた位置に前記ばねを配置し、前記キーの幅方向に対して前記ばねを傾け、
前記キーは、その板厚の方向に凹設された解錠孔を備えたディンプルキーであり、前記解錠孔を介した前記ディスクタンブラとディンプルキーとの係合は、前記ディスクタンブラの回動位置を規定するシリンダ錠。
【請求項４】
前記ディスクタンブラと前記ばねとは、それぞれ同数ずつの複数あり、前記複数のばねは、前記キーの挿入方向に見て異なる少なくとも２箇所の位置に分けて配置されている請求項３に記載のシリンダ錠。
【発明の詳細な説明】
【０００１】
【発明の属する技術分野】
本発明は、ケース内にロータを回動可能に収容し、前記ロータに収容室を設けると共に、前記収容室にディスクタンブラを回動可能に収容し、前記ケース内に挿入されたキーと前記ディスクタンブラとの係合によって前記ディスクタンブラの回動位置を規定し、前記ロータを回動可能な位置と、前記ロータを回動不能な位置とに前記ディスクタンブラを配置可能にしたシリンダ錠に関するものである。
【０００２】
【従来の技術】
この種のシリンダ錠が実開平７−１４０４１公報に開示されている。この従来のシリンダ錠においては、ディスクタンブラが鍵孔に挿入されたキーに押されてばねの付勢力に抗して回動し、サイドバーがディスクタンブラに形成された係合溝に嵌合するようになっている。サイドバーが係合溝に嵌合した状態では、ケースとサイドバーとの係合状態が解除され、キーを回動するという解錠操作によってロータが回動される。
【０００３】
【発明が解決しようとする課題】
ディスクタンブラは、ロータに形成された突起係合部とディスクタンブラに形成された突起との係合箇所を支点として回動する。そのため、ディスクタンブラ全体が弧を描くような移動をする。このような移動は、ディスクタンブラの回動に必要なスペースを大きくし、シリンダ錠の体格が大きくなる。
【０００４】
本発明は、シリンダ錠のコンパクト化を図ることを目的とする。
【０００５】
【課題を解決するための手段】
そのために本発明は、ケース内にロータを回動可能に収容し、前記ロータに複数の収容室を設けると共に、前記各収容室には、該収容室に対応するディスクタンブラを収容室１室につき１個ずつ回動可能に収容し、前記ケース内に挿入されたキーと前記ディスクタンブラとの係合によって前記ディスクタンブラの回動位置を規定し、前記ロータを回動可能な位置と、前記ロータを回動不能な位置とに前記ディスクタンブラを配置可能にしたシリンダ錠を対象とし、請求項１の発明では、前記ディスクタンブラの外周縁に被ガイド部を設け、前記被ガイド部を摺接させて前記ディスクタンブラの回動を案内するためのガイド部を前記収容室に設け、前記ディスクタンブラの回動中心を前記ディスクタンブラの外周縁の内側に設定し、前記キーは、その板厚の方向に凹設された解錠孔を備えたディンプルキーであり、前記解錠孔を介した前記ディスクタンブラとディンプルキーとの係合は、前記ディスクタンブラの回動位置を規定するようにした。
【０００６】
ディスクタンブラの回動中心がディスクタンブラの外周縁の内側にあるため、ディスクタンブラ全体が弧を描くように移動することはない。
請求項２の発明では、請求項１において、前記被ガイド部を円弧形状の円弧状部とし、前記ガイド部を円弧形状の円弧状ガイド部とし、前記円弧状ガイド部の円中心と前記円弧状部の円中心とを一致させた。
【０００７】
ディスクタンブラは、円弧状部と円弧状ガイド部との摺接を介してロータに対して回動する。
請求項３の発明では、前記ディスクタンブラを回動する方向に付勢するばねを備え、前記ケース内に挿入された状態にある前記キーの板厚の範囲を前記キーの幅方向に延長した領域から外れた位置に前記ばねを配置し、前記キーの幅方向に対して前記ばねを傾け、前記キーは、その板厚の方向に凹設された解錠孔を備えたディンプルキーであり、前記解錠孔を介した前記ディスクタンブラとディンプルキーとの係合は、前記ディスクタンブラの回動位置を規定するようにした。
【０００８】
キーの幅方向に対してばねを傾けた構成は、ケース内のスペースのコンパクト化に寄与する。
請求項４の発明では、請求項３において、前記ディスクタンブラと前記ばねとは、それぞれ同数ずつの複数あり、前記複数のばねは、前記キーの挿入方向に見て異なる少なくとも２箇所の位置に分けて配置されているようにした。
【０００９】
このような配置は、シリンダ錠のコンパクト化に寄与すると共に、不正解錠の防止に有効である。
【００１０】
【発明の実施の形態】
以下、本発明を具体化した第１の実施の形態を図１〜図６に従って説明する。図６は、シリンダ錠の分解斜視図を示す。
【００１１】
図１（ａ）に示すように、筒状のケース１１には雄ねじ部１２が形成されており、雄ねじ部１２にはナット１３が螺着されている。ナット１３は、シリンダ錠を取り付け対象に取り付け固定するためのものである。
【００１２】
ケース１１内にはロータ１４が回動可能に嵌入されている。ロータ１４の後端部１４１は、ケース１１の後端から突出しており、後端部１４１には回動量規制カム１５及び作用板１６が相対回動不能に嵌合されている。後端部１４１には雄ねじ部１４２が形成されている。雄ねじ部１４２にはワッシャ１７が嵌合されていると共に、ナット１８が螺着されている。回動量規制カム１５、作用板１６及びワッシャ１７は、ナット１８の締め付けによってロータ１４に固定されている。回動量規制カム１５は、ケース１１に係合してロータ１４の回動量を規制する。作用板１６は、シリンダ錠以外の固定部に係合して施錠作用をもたらしたり、電気スイッチをＯＮ−ＯＦＦしたりするものである。
【００１３】
ロータ１４の先端にはキャップ１９が嵌合して固定されている。キャップ１９には鍵孔１９１が形成されている。キー２０は、鍵孔１９１を通してケース１１内に挿入される。
【００１４】
ロータ１４には複数の収容室２１，２２，２３，２４が形成されており、各収容室２１〜２４には環状のディスクタンブラ２５，２６，２７，２８が収容されている。ロータ１４の上部にはバー挿入孔２９が形成されており、ケース１１の内周面の上部にはロック溝１１１が形成されている。バー挿入孔２９にはサイドバー３０が挿入されている。サイドバー３０は、一対のばね３１，３２のばね力によってロータ１４に向けて付勢されている。
【００１５】
図１（ｂ）、図２、図３及び図４に示すように、環状のディスクタンブラ２５〜２８の外周縁には一対の円弧状部３３，３４が形成されている。収容室２１〜２４の形成壁面には一対の円弧状ガイド部３５，３６が形成されている。円弧状部３３，３４の円中心と、円弧状ガイド部３５，３６の円中心とは、一致させてある。円弧状ガイド部３５，３６の円中心は、ロータ１４の回動中心Ｃに一致させてある。
【００１６】
ディスクタンブラ２５〜２８は、円弧状部３３，３４と円弧状ガイド部３５，３６とが面接触するように収容室２１〜２４に収容されている。ディスクタンブラ２５〜２８は、円弧状部３３，３４と円弧状ガイド部３５，３６とが摺接するように回動可能である。円弧状部３３，３４と円弧状ガイド部３５，３６とが摺接するときのディスクタンブラ２５〜２８の回動中心は、円弧状部３３，３４及び円弧状ガイド部３５，３６の円中心となる。
【００１７】
ディスクタンブラ２５〜２８の外周縁には一対の係合溝３９，４０が形成されている。サイドバー３０は、係合溝３９，４０のいずれか一方に嵌まり込み可能である。一対の円弧状ガイド部３５，３６との間には規制溝３７が形成されており、一対の円弧状部３３，３４の間には規制突起３８が形成されている。規制突起３８は、規制溝３７に入り込んでおり、規制溝３７は、規制突起３８の移動範囲を規制する。即ち、ディスクタンブラ２５〜２８は、規制溝３７と規制突起３８とによって回動範囲を規制される。
【００１８】
ディスクタンブラ２５〜２８の外周縁にはばね受け部４１が形成されている。ロータ１４にはばね座４２，４３，４４，４５が止着されており、ばね座４２〜４５とばね受け部４１との間にはコイルばね型のばね４６，４７，４８，４９が介在されている。ばね４６〜４９は、ロータ１４の回動中心Ｃに関して円弧状ガイド部３５とは反対側の位置に配置されている。又、ばね４６〜４９は、ケース１１内に挿入された状態にあるキー２０の板厚の範囲〔図１（ｂ）にＴで示す〕をキー２０の幅Ｗ〔図１（ｂ）に図示〕の方向に延長した領域Ｈ〔図１（ｂ）に図示〕から外れた位置に配置してある。ばね４６〜４９は、キー２０の幅Ｗの方向に対して傾けてある。
【００１９】
図１（ｂ）及び図４に示すばね４６，４９は、ディスクタンブラ２５，２８を反時計回りの方向に回動するように付勢する。図２及び図３に示すばね４７，４８は、ディスクタンブラ２６，２７を時計回りの方向に回動するように付勢する。
【００２０】
ディスクタンブラ２５〜２８の内周縁におけるばね受け部４１の近傍には解錠突起２５１，２６１，２７１，２８１が形成されている。解錠突起２５１〜２８１は、挿入されたディンプルキー型のキー２０の解錠孔２０１，２０２，２０３，２０４に嵌まり込む。解錠突起２５１〜２８１の高さは、僅かずつ異ならせてある。これに合わせて解錠孔２０１〜２０４の深さが僅かずつ異ならせてある。挿入されるキー２０Ａ（図５に図示）が正しいキーでない場合、例えば図５に示すように、ディスクタンブラ２５が図１（ｂ）に示す位置から回動し、サイドバー３０が係合溝３９から押し出されてケース１１内面のロック溝１１１に入り込む。これによりロータ１４が回動不能となり、正しくないキーによる解錠が阻止される。ディスクタンブラ２５〜２８は、正しいキー２０の挿入によってロータ１４を回動可能な位置に配置され、正しくないキーの挿入によってロータ１４を回動不能な位置に配置される。
【００２１】
第１の実施の形態では以下の効果が得られる。
（１−１）ディスクタンブラ２５〜２８の回動中心Ｃは、ディスクタンブラ２５〜２８の外周縁の内側にある。ディスクタンブラ２５〜２８の回動中心Ｃをディスクタンブラ２５〜２８の外周縁の内側に設定したため、ディスクタンブラ２５〜２８全体が弧を描くように移動する状態は生じない。ディスクタンブラ２５〜２８のこのような回動は、実開平７−１４０４１号公報のシリンダ錠に比べ、ディスクタンブラの動きを許容するためのスペースを少なくでき、シリンダ錠の体格をコンパクトにすることができる。
【００２２】
（１−２）円弧状部３３，３４は、ディスクタンブラ２５〜２８の外周縁に設けた被ガイド部である。円弧状ガイド部３５，３６は、前記被ガイド部を摺接させてディスクタンブラ２５〜２８の回動を案内するためのガイド部である。円弧状部３３，３４の円中心と円弧状ガイド部３５，３６の円中心とを一致させたため、ディスクタンブラ２５〜２８は円弧状部３３，３４と円弧状ガイド部３５，３６との摺接を介してロータ１４に対して回動する。従って、ディスクタンブラ２５〜２８は、回動中心Ｃを中心とした回動のみを行う。このような回動は、円滑である。
【００２３】
（１−３）ディスクタンブラ２５〜２８を回動する方向に付勢するばね４６〜４９は、キー２０の幅Ｗの方向に対して傾けられている。一般的に、キーの板厚Ｔは、キーの幅Ｗよりも小さく、ケース１１内ではキーにおける解錠孔２０１〜２０４を形成する面側にばね配置用のスペースを確保し易い。このようなばね配置用のスペース内でキー２０の幅Ｗの方向に対してばね４６〜４９を傾ける構成は、キー２０の幅Ｗの方向に対してばね４６〜４９を直角に配置する構成に比べ、ばね配置用のスペースの確保に余裕をもたせる。従って、キー２０の幅Ｗの方向に対してばね４６〜４９を傾けた構成は、ケース１１内のスペースのコンパクト化に寄与する。
【００２４】
（１−４）一般的に、ばね４６〜４９のコイル径は、ディスクタンブラ２５〜２８の厚みよりも大きく、複数のコイルばねを同列に配列（即ち、並列に配列）すると、複数のコイルばね配置用のスペースがキー２０の挿入方向に長くなってしまう。本実施の形態では、複数のばね４６〜４９（本実施の形態では４つ）は、いずれもキー２０の挿入方向に見て異なる位置に分散して配置されている。従って、全てのばね４６〜４９が同列に配列されることはなく、キー２０の挿入方向における複数のコイルばね配置用のスペースの長さの短縮化が可能である。これは、シリンダ錠のコンパクト化に寄与する。
【００２５】
（１−５）ばね４６〜４９とディスクタンブラ２５〜２８とは、それぞれ同数ずつの複数あり、複数のばね４６〜４９は、いずれもキー２０の挿入方向に見て異なる位置に配置されている。略同形同大のディスクタンブラ２５〜２８の解錠突起２５１〜２８１は、ばね４６〜４９に対するばね受け部４１の近傍にある。そして、これらの解錠突起２５１〜２８１は、図１（ｂ）、図２〜図４に示すように、鍵孔１９１から見てケース１１内に挿入されたキー２０の存在領域に突き出している。キー２０の存在領域に複数の解錠突起２５１〜２８１を突き出した構成は、不正解錠の防止に有効である。従って、ディスクタンブラ２５〜２８を回動するように付勢する複数のばね４６〜４９をキー２０の挿入方向に見て異なる位置に配置した構成は、不正解錠の防止に有効である。
【００２６】
本発明では以下のような実施の形態も可能である。
（１）ディスクタンブラを付勢するための複数のばねを２箇所又は３箇所の位置に分けて配置すること。
【００２７】
（２）サイドバーを用いないシリンダ錠に本発明を適用すること。
（３）スライド式のディスクタンブラを備えたシリンダ錠に請求項３及び請求項４の発明を適用すること。
【００２８】
前記した実施の形態から把握できる請求項記載以外の発明について以下に記載する。
〔１〕請求項１及び請求項２のいずれか１項において、前記ディスクタンブラを回動する方向に付勢するばねを備え、前記ケース内に挿入された状態にある前記キーの板厚の範囲を前記キーの幅方向に延長した領域から外れた位置に前記ばねを配置し、前記キーの幅方向に対して前記ばねを傾けたシリンダ錠。
【００２９】
〔２〕前記〔１〕項において、前記ディスクタンブラと前記ばねとは、それぞれ同数ずつの複数あり、前記複数のばねのうちの少なくとも２つは、前記キーの挿入方向に見て異なる位置に配置されているシリンダ錠。
【００３１】
【発明の効果】
以上、詳述したように、ディスクタンブラの外周縁に被ガイド部を設け、前記被ガイド部を摺接させて前記ディスクタンブラの回動を案内するためのガイド部を収容室に設け、前記ディスクタンブラの回動中心を前記ディスクタンブラの外周縁の内側に設定した発明、及びケース内に挿入された状態にあるキーの板厚の範囲を前記キーの幅方向に延長した領域から外れた位置にばねを配置し、前記キーの幅方向に対して前記ばねを傾けた発明のいずれにおいても、シリンダ錠のコンパクト化を図ることができるという優れた効果を奏する。
【図面の簡単な説明】
【図１】第１の実施の形態を示し，（ａ）は、側断面図。（ｂ）は、（ａ）のＡ−Ａ線断面図。
【図２】図１（ａ）のＢ−Ｂ線断面図。
【図３】図１（ａ）のＣ−Ｃ線断面図。
【図４】図１（ａ）のＤ−Ｄ線断面図。
【図５】解錠不能状態を示す断面図。
【図６】分解斜視図。
【符号の説明】
１１…ケース。１４…ロータ。２０…キー。２１，２２，２３，２４…収容室。２５，２６，２７，２８…ディスクタンブラ。３３，３４…被ガイド部としての円弧状部。３５，３６…ガイド部としての円弧状ガイド部。４６，４７，４８，４９…ばね。２０１，２０２，２０３，２０４…解錠孔。Ｃ…回動中心。
【図１】
0004091305.tif 000002
【図２】
0004091305.tif 000003
【図３】
0004091305.tif 000004
【図４】
0004091305.tif 000005
【図５】
0004091305.tif 000006
【図６】
0004091305.tif 000007